(57)【特許請求の範囲】
【請求項１】
透液性トップシートと不透液性バックシートとの間に吸収体が介在されるとともに、幅方向中央部に長手方向に沿って中高部が形成された吸収性物品において、
前記吸収体の前方部分に、体液排出口対応部よりも前部側位置を終了端とする条件の下で嵩高凸部を形成し、前記中高部の前端縁との間に吸収性物品の縦方向中心線上で、少なくとも７mm以上の幅を有する堰き止め溝を形成したことを特徴とする前漏れ防止効果の高い吸収性物品。
【請求項２】
前記嵩高凸部は、吸収体幅方向の寸法が少なくとも２０mm以上である請求項１記載の前漏れ防止効果の高い吸収性物品。
【請求項３】
前記嵩高凸部境界に、部分的またはほぼ全幅に亘って線状のエンボスを形成してある請求項１、２いずれかに記載の前漏れ防止効果の高い吸収性物品。
【請求項４】
前記嵩高凸部部分を、船先状に起立させてある請求項１〜３いずれかに記載の前漏れ防止効果の高い吸収性物品。
【発明の詳細な説明】
【０００１】
【発明の属する技術分野】
本発明は、経血やおりものなどを吸収するための生理用ナプキン、パンティライナー、失禁パッド等に係り、特に前漏れ防止効果の高い吸収性物品に関する。
【０００２】
【従来の技術】
従来より、パンティライナー、生理用ナプキン、失禁パッドなどの吸収性物品としては、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、着用時間帯、すなわち就寝時間帯や起床時間帯など、着用者の姿勢状態に応じて効率的に体液等を吸収し得る構造のものが種々提案されている。たとえば、特開平2-144059号公報では、吸収性物品の後方側幅方向中央部において、表面材と吸収体との間に、圧縮剛性率が１５〜３８％であり、かつ乾燥圧縮回復率が２５％以上の弾性体を存在させて就寝時の後漏れを防止した吸収性物品が開示されているとともに、特開平9-28729号公報では、図１３に示されるように、基層吸収体５０の後端部上面側に全幅に亘ってクッション層５１を設け、就寝時に経血が臀裂を通って後側に漏れ出るのを防止した生理用ナプキンが開示されている。
【０００４】
【発明が解決しようとする課題】
しかしながら、就寝時間帯の姿勢が常に仰向けであるならば、上記構造の吸収性物品により経血漏れは防止できるが、横向き状態やうつ伏せ状態で寝ることを常習としている女性や、就寝中の寝返りによって横向き状態やうつ伏せ状態となる場合には、経血漏れを防止できないことがあった。すなわち、女性は、人体の構造上、仰向け状態では排血口の方向は斜め上方を向くようになっているため、仰向け状態では経血が出づらく、また排血があっても排血口から後方側に長い吸収体によって吸収されることになる。しかし、うつ伏せ姿勢や横向き姿勢になると、排血口の方向が下向きまたは水平となるため、経血が排出され易く、かつ吸収体の配置位置が前漏れに対して配慮されていないため、前側より経血漏れが起きることがあった。
【０００５】
一方、昼間の行動時間帯であっても、着席姿勢や起立姿勢を頻繁に繰り返すため、この姿勢切り替えの際に前屈みになることが多く、同様に前漏れすることがあった。本発明者等の調査によれば、このような前漏れに対処するために、女性等は下着のクロッチ部に対して前寄りに装着することで個別に対応していたが、近年の吸収性物品は装着性や漏れ防止のために、ウイング付きやフィットカットなど下着に対する装着位置が半ば指定されているものが多く、上記対応が出来ないものとなっている。
【０００６】
そこで本発明の主たる課題は、前漏れを確実に防止できるようした吸収性物品を提供することにある。
【０００７】
【課題を解決するための手段】
前記課題を解決するための本発明は、透液性トップシートと不透液性バックシートとの間に吸収体が介在されるとともに、幅方向中央部に長手方向に沿って中高部が形成された吸収性物品において、
前記吸収体の前方部分に、体液排出口対応部よりも前部側位置を終了端とする条件の下で嵩高凸部を形成し、前記中高部の前端縁との間に吸収性物品の縦方向中心線上で、少なくとも７mm以上の幅を有する堰き止め溝を形成したことを特徴とするものである。
【０００８】
この場合において、前記嵩高凸部は、吸収体幅方向の寸法が少なくとも２０mm以上であることが望ましく、前記嵩高凸部境界に、部分的またはほぼ全幅に亘って線状のエンボスを形成してあることが望ましい。さらには、前記嵩高凸部部分を、船先状に起立させてあることが望ましい。
【０００９】
【発明の実施の形態】
以下、本発明の実施の形態について図面を参照しながら詳述する。
【００１０】
〔第１形態例〕
図１は本発明の第１形態例に係る生理用ナプキン１Ａの展開図であり、図２は図１のII−II線矢視図、図３は図１のIII−III線矢視図、図４は図１のIV−IV線矢視図である。
【００１１】
前記生理用ナプキン１Ａは、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記透液性トップシート３と吸収体４との間に介在された親水性を有する繊維集合体６によって幅方向中央部に長手方向に沿って形成された中高部１２と、前記吸収体４の両側縁部を起立基端とし、かつ少なくとも排血口対応部から前後方向に所定の区間内において表面側に突出して設けられた左右一対の立体ギャザー７，７とから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザー７を形成している不織布１０とがホットメルトなどの接着剤やヒートシール等の接着手段によって接合され、これら不透液性バックシート２と立体ギャザー形成用不織布１０とによる複合シート部分によって側方に突出する第１ウイング８，８が形成されているとともに、これよりも背側に位置する部分に第２ウイング９，９が形成された構造のもので、本発明では特に前漏れを防止するために、前記吸収体４の前方部分に相対的に嵩高の凸部１１が形成されている。
【００１２】
以下、さらに前記生理用ナプキン１Ａの構造について詳述すると、前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１３】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００１４】
前記透液性トップシート３に多数の透孔を形成した場合には、経血やおりもの等（以下、まとめて体液という。）が速やかに吸収されるようになり、ドライタッチ性に優れたものとなる。
【００１５】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましく、吸収体４と前記透液性トップシート３との間に介在された親水性を有する繊維集合体６によって幅方向中央部に長手方向に沿って中高部１２が形成されている。前記親水性を有する繊維集合体６としては、例えば木材パルプ、綿、レーヨン等のセルロース繊維、アクリロニトリル、ポリビニルアルコール等の親水性基を有する合成繊維や、ポリエチレン、ポリプロピレン、ポリエステル等の疎水性繊維を親水化剤で表面処理して親水性を付与した繊維等、種々のものを使用することができる。
【００１６】
透液性トップシート３面には、前記中高部１２を所定位置に保持するとともに、表面側にきっちりと膨出させる、および吸収した体液を封じ込める等のために線状エンボス１４〜１７が形成されている。線状エンボス１４は、吸収体前端部において嵩高凸部１１部に形成された半円弧状エンボスの両サイドから連続して形成されるとともに、中高部１２の両側部では平面的に内側に突出する弧状のサイドエンボスであり、線状エンボス１５は中高部１２の前端辺部に沿って形成されたエンボスであり、線状エンボス１６はサイドエンボス１４の外側に形成された平面的に内側に突出する弧状のサイドエンボスである。さらに、線状エンボス１７は吸収体後部側において中高部１２の両側に沿って形成されたエンボスである。
【００１７】
一方、前記透液性トップシート３の幅寸法は、図示例では、図２および図３の横断面図に示されるように、吸収体４の幅よりも若干長めとされ、吸収体４を覆うだけに止まり、前記立体ギャザー７は前記透液性トップシート３とは別のギャザー形成用不織布１０、具体的には経血やおりもの等が浸透するのを防止する、あるいは肌触り感を高めるなどの目的に応じて、適宜の撥水処理または親水処理を施した不織布素材を用いて構成されている。かかるギャザー形成用不織布１０としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００１８】
前記ギャザー形成用不織布１０は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記ギャザー形成用不織布１０と不透液性バックシート２との積層シート部分により、ほぼ体液排出口に相当する吸収体側部位置に左右一対の第１ウイング８，８を形成するとともに、これより臀部側位置に第２ウイング９，９を形成している。これら第１ウイング８，８および第２ウイング９，９の外面側には粘着部（図示せず）を備え、図８に示されるように、ショーツ３０に対する装着時に、折返し線２０位置にて反対側に折返し、ショーツのクロッチ部分に巻き付けて止着するようになっている。
【００１９】
一方、前記ギャザー形成用不織布１０の内側部分はほぼ二重に折り返されるとともに、この二重シート内部には、その高さ方向中間部に両端または長手方向の適宜の位置が固定された糸状弾性伸縮部材１９が配設されるとともに、前記糸状弾性伸縮部材１９の上側部位に両端または長手方向の適宜の位置が固定されたテープ状弾性伸縮部材１８が配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザー７，７が形成されている。
【００２０】
本生理用ナプキン１Ａでは、特に前漏れを防止するために、図４に詳細に示されるように、前記吸収体４の前端部に、中高部１２の前端縁との間に離間をおいて嵩高の凸部１１を形成することで体液堰き止め溝１３が形成されている。この嵩高凸部１１は、図示例では吸収体４の上面側に、親水性を有するか若しくは有しない嵩高形成材２１を積層させることによって形成されたもので、該嵩高形成材２１としては、例えば木材パルプ、綿、レーヨン等のセルロース繊維、アクリロニトリル、ポリビニルアルコール等の親水性基を有する親水性繊維や、ポリエチレン、ポリプロピレン、ポリエステル等の疎水性繊維、これら疎水性繊維を親水化剤で表面処理して親水性を付与した繊維等、種々のものを使用することができるが、これ以外にクレープ紙等、紙類の積層体、樹脂発泡体よりなる可撓性に富むスポンジなどのクッション材も使用することができる。前記嵩高形成材２１が親水性を有する場合には、体液を単に堰き止めるだけでなく、吸収することで前漏れ防止効果を発揮し、また親水性を有しない場合でも身体へ密着することで隙間を無くし前漏れ防止効果を発揮するようになる。
【００２１】
前記嵩高凸部１１の形成に当たっては、内側境界線２２を外側に突出する湾曲形状とするとともに、前記ギャザー形成用不織布１０との接着部を調整することによって船先状（斜め上方側）に起立させるようにするのが望ましい。
【００２２】
前記嵩高凸部１１は、前記吸収体４の前方部分に、体液排出口対応部Ｈよりも前部側位置を終了端とする条件の下で形成するようにしている。仮に、体液排出口対応Ｈに達するまでの区間に形成した場合には、前漏れに関しては従来品と同じになってしまい堰き止め効果が期待できない。前記嵩高凸部１１の最小寸法値（ＢＬ）としては特に規定しないが、身体に対する接触幅が少ないと身体の動きに追従できなくなり、隙間が形成されることが懸念されるため好ましくは１０〜２０mm程度とされる。なお、前記嵩高凸部１１の開始端は吸収体の前方がわ端縁と合致していなくてもよい。
【００２３】
また、前記堰き止め溝１３は嵩高凸部１１の終了端より生理用ナプキン１Ａの中心側に向かって、かつ吸収性物品の縦方向中心線ＣＬ上で、少なくとも７mm以上の区間幅（ＭＬ）で形成されており、図４に示されるように、排出された体液が前側に流下することがあっても、前記堰き止め溝１３の存在によって体液が溝内に流れ込み、嵩高凸部１１を越えて漏れ出ることが無くなる。前記堰き止め溝１３の幅ＭＬが７mm未満の場合には、嵩高凸部１１の屈曲具合、ヨレや垂れ落ち等によって中高部１２と実質的に連続することがあり、流下する体液が嵩高凸部１１に至ることがあるため好ましくない。前記嵩高凸部１１の幅寸法としては、図示例では吸収体４の幅とほぼ同寸として形成されているが、吸収体４の幅よりも短くしてもよい。しかし、その幅寸法は少なくとも２０mm以上であることが望ましい。嵩高凸部１１の幅寸法が２０mm未満である場合には、その両側にある程度大きな隙間が形成されることがあるため、隙間を無くすとともに、嵩高凸部１１に至る体液があった場合でも、ある程度の拡散をもって吸収させるために少なくとも２０mm以上の幅とする。
【００２４】
他方、前記嵩高凸部１１と堰き止め溝１３との境界部、および堰き止め溝１３と中高部１２との境界部、すなわち堰き止め溝１３の境界部には、エンボス線１４，１５（図４に▼で表示）を夫々形成し、きっちりと段差を形成するようにするのが望ましい。段差を明確化することで確実に体液が堰き止め溝１３内に流下するようになるとともに、一旦堰き止め溝１３内に流下した体液が再び嵩高凸部１１を越えて漏れ出ることが無くなり、確実に前漏れを防止できるようになる。なお、図示例では嵩高凸部１１と中高部１２との高さをほぼ同じとしたが、両者の高さは異なっていてもよい。すなわち、相対的に嵩高凸部１１の方が中高部１２よりも高くてもよいし、或いは中高部１２が嵩高凸部１１よりも高くなっていてもよい。
【００２５】
〔参考第１形態例〕
ところで、嵩高凸部１１の形成態様としては、他に図５(A)に示されるように、嵩高凸部１１を含む範囲を綿状パルプまたは合成パルプ等よりなる吸収体４で形成した後、堰き止め溝対応部位４ａを圧縮して堰き止め溝１３を形成するようにしてもよい。この場合、嵩高凸部１１と吸収体４の一般部４Ｂとは厚みが同じであっても良いし、或いは異なっていてもよい。さらに、図５(B)に示されるように、基層吸収体４Ｃの上面側に別体の吸収体４Ｄ、４Ｅを積層させてそれぞれ嵩高凸部１１および中高部１２を形成するようにしてもよい。
【００２６】
さらに、前記嵩高凸部１１を特に形成することなく、単に吸収体４に対するエンボス加工によって堰き止め溝１３を形成するようにしてもよい。たとえば、図６に示される例は、ほぼ均一厚さの吸収体４に対し、吸収体４の体液排出口対応部Ｈよりも前部側位置に、吸収性物品の縦方向中心線ＣＬ上で、区間幅ＭＬが少なくとも７mm以上である堰き止め溝１３が形成されるように、略ひょうたん形状のエンボス２３を形成した例であり、図７に示される吸収体例は、吸収体４の体液排出口対応部Ｈよりも前部側位置に、吸収性物品の縦方向中心線ＣＬ上で、区間幅ＭＬが少なくとも７mm以上である堰き止め溝１３が形成されるように、吸収体４の略幅方向に沿って弧状エンボス２４を形成した例である。なお、図７に示される例の場合も吸収体４の厚みは均一でよいが、図示例では特に、前記堰き止め溝１３を境に後方側の吸収体を相対的に嵩高としている。
【００２７】
〔参考第２形態例〕
次いで、図９に示される参考第２形態例に係る生理用ナプキン１Ｂは、中高部１２を有しない構造の生理用ナプキンであって、これ以外の構造は第１形態例と同様であるため同符号を付して説明は省略する。
【００２８】
かかる生理用ナプキン１Ｂの場合には、堰き止め溝１３を有しないが、前記吸収体４の前方部分に吸収体４の上面よりも相対的に嵩高の凸部１１が形成されていることによって、着用時に前記嵩高凸部１１が身体の前側に密着し、防漏壁の役割を果たすことによって効果的に前漏れが防止できるようになる。この場合においても、前記嵩高凸部１１は、体液排出口対応部よりも前部側位置を終了端とする条件の下で形成され、かつ当然に前記嵩高凸部１１の終了端より吸収性物品１Ｂの中心側に向かって、かつ吸収性物品１Ｂの縦方向中心線ＣＬ上で、少なくとも７mm以上の区間ＭＬは前記嵩高凸部１１よりも相対的に低くなっている。
【００２９】
前記嵩高凸部１１の形成態様は、図１０に示されるように、第１形態例と同様に、吸収体４の上面側に、親水性を有するか若しくは有しない嵩高形成材２１を積層させることによって形成しているが、図１１(A)に示されるように、吸収体４の前端部を部分的に増厚して嵩高凸部１１を形成するようにしてもよいし、図１１(B)に示されるように、別体の吸収体２５を１層または複数積層して嵩高凸部１１を形成するようにしてもよい。さらには、図１１(C)に示されるように樹脂発泡体よりなる可撓性に富むスポンジなどのクッション材２６を積層して形成するようにしてもよい。
【００３０】
〔参考第３形態例〕
さらに、図１２に示される参考第３形態例に係る生理用ナプキン１Ｃ（吸収体のみ表示）は、第１および第２形態例のように、嵩高凸部１１に明確な終了端を有しないが、吸収体４の体液排出口対応部Ｈよりも前部側位置に、前記体液排出口対応部Ｈの略中心点Ｐの高さよりも相対的にΔｔだけ嵩高となる前漏れ防止用嵩高部２７を形成したものである。第１および第２形態例のように前側嵩高部が段状に明確に形成されていなくても、着用時に前記前漏れ防止用嵩高部２７が身体の前側に密着し、防漏壁の役割を果たすことによって効果的に前漏れが防止できるようになる。
【００３１】
【発明の効果】
以上詳説のとおり本発明によれば、吸収体の前方部分に形成した嵩高凸部と、中高部とによって形成された堰き止め溝によって前漏れを確実に防止できるようになる。
【図面の簡単な説明】
【図１】  本発明の第１形態例に係る生理用ナプキン１Ａの展開図である。
【図２】  図１のII−II線矢視図である。
【図３】  図１のIII−III線矢視図である。
【図４】  図１のIV−IV線矢視図である。
【図５】  嵩高凸部１１の他の参考形成態様を示す概略断面図である。
【図６】  堰き止め溝１３の他の参考形成態様を示す、(A)は吸収体平面図、(B)は(A)のＢ−Ｂ線矢視図である。
【図７】  堰き止め溝１３の他の参考形成態様を示す、(A)は吸収体平面図、(B)は(A)のＢ−Ｂ線矢視図である。
【図８】  ナプキンの装着状態を示す斜視図である。
【図９】  本発明の参考第２形態例に係る生理用ナプキン１Ｂの展開図である。
【図１０】  図９のＸ−Ｘ線矢視図である。
【図１１】  嵩高凸部１１の他の参考形成態様を示す概略断面図である。
【図１２】  本発明の参考第３形態例に係る生理用ナプキン１Ｃ（吸収体のみ表示）を示す、(A)は平面図、(B)は(A)のＢ−Ｂ線矢視図である。
【図１３】  従来の生理用ナプキンの縦断面図である。
【符号の説明】
１Ａ・１Ｂ…生理用ナプキン、２…不透液性バックシート、３…透液性トップシート、４…吸収体、５…クレープ紙、６…繊維集合体、７…立体ギャザー、８…第１ウイング、９…第２ウイング、１０…ギャザー形成用不織布、１１…嵩高凸部、１２…中高部、１３…堰き止め溝、１４〜１６…線状エンボス、１８…テープ状弾性伸縮部材、１９…糸状弾性伸縮部材、２０…折返し線、２１・２５・２６…嵩高形成材、２３…ひょうたん形状エンボス、２４…弧状エンボス、２７…前漏れ防止用嵩高部
【図１】
0003865565.tif 000002
【図２】
0003865565.tif 000003
【図３】
0003865565.tif 000004
【図４】
0003865565.tif 000005
【図５】
0003865565.tif 000006
【図６】
0003865565.tif 000007
【図７】
0003865565.tif 000008
【図８】
0003865565.tif 000009
【図９】
0003865565.tif 000010
【図１０】
0003865565.tif 000011
【図１１】
0003865565.tif 000012
【図１２】
0003865565.tif 000013
【図１３】
0003865565.tif 000014